(57)【要約】【課題】本発明は、厚さの薄い可撓性を有するフィルム状、袋状物品や、可撓性の小さい薄板状の物品や、さらには、フィルム状の物品を個包装して、その個包装袋を重ねて収納するような場合であっても、内容物を容易かつスムーズに取り出すことができる安価な収納ケースを提供することを目的とする。【解決手段】底部の両側端に立設する側壁部と、前後端部に立設する前壁部および後壁部とによって形成される収納空間の上端面が開放した箱形のケース本体の前記底部に板バネを一体に設け、そのケース本体後端部と、そのケース本体の上端面を自在に開閉する蓋体の後端部とをヒンジ結合により一体に連結した蓋体にスリット穴を設け、そのスリット穴を介して、ケース本体の前壁部に設けた取り出し口から収納した物品をスライドして取り出せるようにした構成を一体成形されてなしていることを特徴とする収納ケースである。【選択図】図１
2006298439.tif 000002
【特許請求の範囲】
【請求項１】
底部の両側端に立設する側壁部と、前後端部に立設する前壁部および後壁部とによって形成される収納空間の上端面が開放した箱形のケース本体の前記底部に板バネを一体に設け、そのケース本体後端部と、そのケース本体の上端面を自在に開閉する蓋体の後端部とをヒンジ結合により一体に連結した蓋体にスリット穴を設け、そのスリット穴を介して、ケース本体の前壁部に設けた取り出し口から収納した物品をスライドして取り出せるようにした構成を一体成形されてなしていることを特徴とする収納ケース。
【請求項２】
前記ケース本体と前記蓋体とが、互いに重なり合って嵌合し合う嵌合保持手段を具備し、蓋体を閉じた状態が保持される構成をなしていることを特徴とする請求項１記載の収納ケース。
【発明の詳細な説明】
【技術分野】
【０００１】
本発明は、特に厚さの薄い可撓性を有するフィルム状、袋状物品など、または可撓性をそれほど有していない薄板状の物品などを収納し、スライドして容易かつスムーズに内容物を取り出すことのできる収納ケースに関する。
【背景技術】
【０００２】
従来、特に厚さの可撓性を有する薄い可撓性を有するフィルム状、袋状物品など、または可撓性をそれほど有していない薄板状の物品などや、さらには、フィルム状の物品を個包装して、例えば、その個包装袋を２０枚程度重ねて収納するような場合は、一般的にボックス型の紙箱などに収納されることが多い。しかしながら、ボックス型の紙箱に収納された上記のような物品を一枚毎取り出す場合、物品を取り出し難い問題があった。
【０００３】
一方、テッシュペーパーなどの容器において、容器底部にバネを配置しておき、常に取り出し口に位置させるようにした容器が知られている。
【０００４】
例えば、図４に示すように、ポケットティッシュペーパーに適合する大きさのケース４に、比較的大きな開口部を有する開閉可能なティッシュペーパー取り出し口４２のあるフタ４０を設け、収納されたティッシュペーパーの中央部を底面から取り出し口４２の方へ押し上げるためのバネ４１を、ケースの内側背面部に設けたポケットティッシュ用ケースが特許文献１で提案されている。
【０００５】
また、図５に示すように、単に積層されたテッシュペーパーを残量に関わりなく容易に取り出しが出来、かつ、簡単に充填または詰め替えの出来る、詰め替え用テッシュペーパー用ボックスが特許文献２で提案されている。このテッシュペーパー用ボックス５は、テッシュボックス本体５０の上下２枚の支持板５１，５２の間に、別途に構成された円錐形のスプリング５４を嵌着することにより、テッシュペーパーに対する押し上げ機構をテッシュペーパー共々本体５０に収納し、本体５０に底板５３を差し込むことにより常にテッシュペーパーは最上部に位置し容易に取り出しが出来、底板５３を抜き取ることにより簡単に詰め替えができるものである。
【０００６】
上記のポケットティッシュ用ケースはいずれも、ケース容器底部にバネを配置しておき、収納されたティッシュペーパーの中央部を取り出し口の方へ押し上げることによって、常に取出口に位置させるようにして、一枚毎にティッシュペーパーが摘みやすくなるものである。
【０００７】
しかしながら、上記の構成の収納ケースは中央部から折り曲げるような形となり取り出されるものであるから、厚さの薄い可撓性を有するフィルム状、袋状物品などは取り出すことが可能であるが、容易に取り出し難く、上記の物品に皺が付いたりしてしまうなどの問題がある。また、可撓性をそれほど有していない薄板状の物品や、フィルム状の物品を個包装して、例えば、その個包装袋を２０枚程度重ねて収納するような場合は、上記のような構成の収納ケースでは内容物を取り出すことができない。
【０００８】
そこで、厚さの薄い可撓性を有するフィルム状、袋状物品などや、可撓性の小さい薄板状の物品などや、さらには、フィルム状の物品を個包装して、例えば、その個包装袋を２０枚程度重ねて収納するような場合であっても、内容物を容易かつスムーズに一枚毎（一袋毎）取り出すことができる安価な収納ケースが求められていた。
【０００９】
以下に特許文献を記す。
【特許文献１】特開２００２−３４７８６１号公報
【特許文献２】特開２００３−３２７２８１号公報
【発明の開示】
【発明が解決しようとする課題】
【００１０】
本発明は、上記の課題を解決するためになされたもので、厚さの薄い可撓性のあるフィルム状、袋状物品などや、可撓性をそれほど有していない薄板状の物品などや、さらにはフィルム状の物品を個包装して、例えば、その個包装袋を２０枚程度重ねて収納するような場合であっても、内容物を容易かつスムーズに一枚毎（一袋毎）取り出すことができる安価な収納ケースを提供することを目的とする。
【課題を解決するための手段】
【００１１】
上記の目的を達成するために、すなわち、
請求項１に係る発明は、
底部の両側端に立設する側壁部と、前後端部に立設する前壁部および後壁部とによって形成される収納空間の上端面が開放した箱形のケース本体の前記底部に板バネを一体に設け、そのケース本体後端部と、そのケース本体の上端面を自在に開閉する蓋体の後端部とをヒンジ結合により一体に連結した蓋体にスリット穴を設け、そのスリット穴を介して、ケース本体の前壁部に設けた取り出し口から収納した物品をスライドして取り出せるようにした構成を一体成形されてなしていることを特徴とする収納ケースである。
【００１２】
請求項２に係る発明は、
前記ケース本体と前記蓋体とが、互いに重なり合って嵌合し合う嵌合保持手段を具備し、蓋体を閉じた状態が保持される構成をなしていることを特徴とする請求項１記載の収納ケースである。
【発明の効果】
【００１３】
本発明は、ケース本体の底部に板バネを一体に設け、そのケース本体の開放した上端面を自在に開閉する蓋体とをヒンジ結合により一体に連結した、その蓋体にスリット穴を設け、前記ケース本体と前記蓋体とが嵌合し合う嵌合保持手段により、互いに重なり合って蓋体を閉じた状態が保持されるケース本体の前壁部に設けた取り出し口から収納した内容物を上記板バネにより取り出し口の方へを押し上げることによって、常に内容物取り出し口に位置しているために、上記のスリット穴を介して指先等でスライドして取り出せるようにした構成をなしている収納ケースであるから、特に厚さの薄い可撓性を有するフィルム状、袋状物品などや、また可撓性をそれほど有していない薄板状の物品などや、さらにはフィルム状の物品を個包装して、例えば、その個包装袋を２０枚程度重ねて収納するような場合であっても、容易に内容物をスライドさせて簡単かつスムーズに一枚毎取り出すことのできる収納ケースを提供できる。
【００１４】
また、本発明の収納ケースは、プラスチックの一体成形で製造することができるので、製造面およびコスト面で有利であり安価に製造できる。なおかつ。また、プラスチック成形で製造することができるので、容易に、携帯性、美粧性など多様なデザイン性に富む、耐久性に優れる収納ケースが得られる。さらに、ケース自体を構成する部品構成が少なく構造が単純に構成できる。
【発明を実施するための最良の形態】
【００１５】
以下、本発明の一実施例としての実施形態について図面を参照して説明する。図１は、
本発明の収納ケースの一例を示す斜視図である。図２は、図１の収納ケースに内容物を収納して蓋体を閉じた状態を示す斜視模式図である。図３は、図２の収納ケースの一部切り欠いた側面断面図である。
【００１６】
この実施態様の収納ケース１は、図１に示すように、ケース本体１０の底部１１に板バネ１５を一体に設け、そのケース本体１０の開放した上端面を自在に開閉する蓋体２０とをヒンジ結合により一体に連結した、その蓋体２０にスリット穴２１を設け、上記ケース本体と上記蓋体とが嵌合し合い互いに重なり合う嵌合保持手段として、例えば、上記ケース本体１０側壁部１２，１２の上端に設けた係止爪１７と、上記蓋体２０に前記係止爪１７と対向する位置に係合溝穴２７とが具備した構成が一体成形によりなしている。
【００１７】
すなをち、上記ケース本体１０は、底部１１の両側端に立設する側壁部１２，１２と、前後端部に立設する前壁部１３および後壁部１４とによって、収納空間の上端面が開放した箱形のケース本体１０の前記底部１１に板バネ１５が一体に設けて形成されており、さらに、ケース本体１０と蓋体２０が重なり合って嵌合し合う嵌合保持手段としてケース本体１０側壁部１２，１２の上端に設けた係止爪１７が形成されている。
【００１８】
また、上記蓋体２０は、スリット穴２１と、上記ケース本体１０側壁部１２，１２の上端に設けた係止爪１７と対向する位置に係合溝穴２７具備した構成をなしている。
【００１９】
そして、上記ケース本体１０と上記蓋体２０とは、ケース本体１０の後壁部１４と蓋体２０後端部２４とがヒンジ結合部により一体に連結されている構成をなしている。
【００２０】
以上の収納ケース１において、厚さの薄い可撓性を有するフィルム状、袋状物品などや、薄板状の物品などや、さらには、フィルム状の物品を個包装して、例えば、その個包装袋を２０枚程度重ねて収納する場合には、ケース本体１０と蓋体２０とを大きく開いた状態にしてケース本体１の収納空間に上記の物品などを収納して、蓋体２０を閉じる。ケース本体１の係止爪１７に嵌合する係合溝穴２７が蓋体２０に形成されていて、これらの係合溝穴２７と係止爪１７とが嵌合し合うことにより、図２に示すように、蓋体２０を閉じた状態が保持される。
【００２１】
図３には、図２の収納ケースの一部切り欠いた側面断面図を示した。図３に示すように、厚さの薄い可撓性を有するフィルム状、袋状物品などや、可撓性をそれほど有していない薄板状の物品などや、さらにはフィルム状の物品を個包装した包装袋などの内容物３Ａが、収納ケースの底部１１に一体に設けた板バネ１５により、内容物３Ａをケース本体１０の前壁部１３に設けた出し口１６の方へを押し上げることによって、常に内容物３Ａが取り出し口１６に位置しているために、蓋体２０に設けたスリット穴２１を介して指先などでスライトさせて内容物を容易かつスムーズに一枚（一袋）毎取り出すことができる。なお、取り出し口１６の間隔は、内容物の厚さに応じて適宜設計することができる。
【００２２】
上記の収納ケースを構成する材質については、特に限定されるものではなく、一体成形性、ヒンジ特性に優れる合成樹脂を使用することができる。例えば、ポリプロピレン（ＰＰ）樹脂、ポリエチレン（ＰＥ）樹脂、ポリエチレンテレフタレート（ＰＥＴ）などのポリエステル樹脂、ナイロンなどのポリアミド（ＰＡ）樹脂などが挙げられる。
【００２３】
また、上記の収納ケースにおいて、ケース本体と、蓋体とが重なり合って嵌合する嵌合保持手段として、係止爪と係合溝穴による嵌合保持手段を例示したが、ケース本体と蓋体とが重なり合って嵌合する手段であればこれに限定されるものではない。
【００２４】
本発明の収納ケースは、以上説明したように、収納ケースの底部に設けた板バネにより
取りケース本体の前壁部に設けた出し口の方へを押し上げることによって、常に内容物取り出し口に位置しているために、蓋体に設けたスリット穴を介して指先などでスライトさせて内容物を容易かつスムーズに一枚（一袋）毎取り出すことができる。そして、本発明の収納ケースは、厚さの薄い可撓性を有するフィルム状、袋状物品などや、可撓性をそれほど有していない薄板状の物品などや、さらにはフィルム状の物品を個包装した包装袋などの内容物を収納して、保管、輸送、携帯などの目的に好適に使用することができる。また、本発明の収納ケースは、プラスチックの一体成形で製造することができるので、製造面およびコスト面で有利であり安価に製造できる。また、プラスチック成形で製造することができるので容易に携帯性、美粧性など多様なデザイン性に富む、耐久性に優れる収納ケースが得られる。さらに、ケース自体を構成する部品構成が少なく構造が単純に構成できる。
【図面の簡単な説明】
【００２５】
【図１】本発明の収納ケースの一例を示す斜視図である。
【図２】図１の収納ケースに内容物を収納して蓋体を閉じた状態を示す斜視模式図である。
【図３】図２に示す内容物を収納して蓋体を閉じた状態の収納ケースの一部切り欠いた側面断面である。
【図４】従来のポケットティッシュ用ケースの一例を示す斜視模式図である。
【図５】従来の詰め替え用テッシュボックスの一例を示す斜視模式図である。
【符号の説明】
【００２６】
１、２、３・・・収納ケース
３Ａ・・・内容物
４、５・・・テッシュペーパーボックス
１０・・・ケース本体
１１・・・底部
１２・・・側壁部
１３・・・ケース本体前端部
１４・・・ケース本体後端部
１５・・・板バネ
１６・・・取り出し口
１７・・・係止爪
２０・・・蓋体
２１・・・スリット穴
２３・・・蓋体前端部
２４・・・蓋体後端部
２７・・・係合溝
３０・・・ヒンジ結合部
４０・・・フタ
４１・・・バネ
４２、５６・・・テッシュペーパー取り出し口
４３・・・ヒンジ結合部
５０・・・テッシュボックス本体
５１・・・上部支持板
５２・・・下部支持板
５３・・・底板
５４・・・円錐形のスプリング（コイルスプリング）
５５・・・下部支持板に空けられた押し上げ機構全体を取り出すための穴
５７・・・埃除けの蓋
【図１】
2006298439.tif 000003
【図２】
2006298439.tif 000004
【図３】
2006298439.tif 000005
【図４】
2006298439.tif 000006
【図５】
2006298439.tif 000007